(57)【要約】本発明は、無線ＬＡＮ上のポイント調整機能ＰＣＦを向上させるためのシステムおよび方法を提供する。本発明では、競合手順が、ＰＣＦ内に取り入れられる。ポイント・コーディネータ（ＰＣ）が、送信するフレームをもたない移動端末をポーリングする場合、その端末は、ＰＣからのＣＦポーリングに応答せず、またそのＮＡＶ（ネットワーク割当てベクトル）を調整し、ＳＰＩＦＳ（Ｓ−ＰＣＦフレーム間空間）と定義される特別な値にそれを設定する。それが依然として同じ非競合期間ＣＦＰ中にあり、またそのポーリング期間が終了しているときにこの移動端末上でデータの準備が整った場合、その端末は、媒体の制御を求めて競合することができる。ＣＦＰ（非競合期間）中に、媒体がＳＰＩＦＳ期間の間アイドル状態であることを検出すると、移動端末は、媒体制御を取得し、準備が整ったデータを送信し始める。したがって、この移動端末は、次のＣＦＰではなくこのＣＦＰ中に媒体制御を取得する別の機会を得ることができ、これによって、伝送遅延が低減され得る。
2006512822.tif 000002
【特許請求の範囲】
【請求項１】
非競合期間（ＣＦＰ）および競合期間（ＣＰ）を含む無線ＬＡＮプロトコルで使用される、無線ＬＡＮのポイント調整機能を向上させる方法であって、
ａ．非競合期間に、移動端末がアクセス・ポイント（ＡＰ）によってポーリングされかつ送信データを有していない場合、該移動端末はその変数を所定の値に調整するステップと、
ｂ．前記データ・フレームの送信の準備が整ったときに、前記移動端末は共有媒体の検出を開始し、前記共有媒体が空いている場合、前記変数のカウントを開始するステップと、
ｃ．前記変数が所定の値までカウントされ、また前記共有媒体が依然として空いている場合、前記移動端末は媒体制御を取得し、データ・フレームを送信し始めるステップとを含む方法。
【請求項２】
前記変数は、前記移動端末のネットワーク割当てベクトル（ＮＡＶ）であることを特徴とする請求項１に記載の無線ＬＡＮのポイント調整機能を向上させる方法。
【請求項３】
前記局は、このＣＦＰの間に媒体制御を取得し、かつデータ・フレームの送信を開始した後に、そのＮＡＶを最大値に調整することを特徴とする請求項２に記載の無線ＬＡＮのポイント調整機能を向上させる方法。
【請求項４】
前記所定値は、ＳＰＩＦＳに対応する値であることを特徴とする請求項１に記載の無線ＬＡＮのポイント調整機能を向上させる方法。
【請求項５】
ＳＰＩＦＳに対応する前記値は、ＳＩＦＳ＜ＳＰＩＦＳ＜ＰＩＦＳのように、短期フレーム間空間（ＳＩＦＳ）とＰＣＦフレーム間空間（ＰＩＦＳ）の間に規定されることを特徴とする請求項４に記載の無線ＬＡＮのポイント調整機能を向上させる方法。
【請求項６】
ＳＰＩＦＳは、次の式によって得られ、
ＳＰＩＦＳ＝ＳＩＦＳ＋〔１スロット時間＊Ｒａｎｄ（）〕
ここで、Ｒａｎｄ（）を間隔〔０，１〕にわたる一様分布から導き出された疑似乱数とする、ことを特徴とする請求項５に記載の無線ＬＡＮのポイント調整機能を向上させる方法。
【請求項７】
ステップａにおいて、非競合期間中に前記移動端末がその変数を所定の値に調整した後に、前記移動端末は、目標ビーコン送信時間（ＴＢＴＴ）に別のビーコン・フレームを受信したとしても、該移動端末のＮＡＶを変更しないことを特徴とする請求項１に記載の無線ＬＡＮのポイント調整機能を向上させる方法。
【請求項８】
前記ポイント・コーディネータは、複数の局が前記共有媒体の制御のために競合し得ると決定することを特徴とする請求項１に記載の無線ＬＡＮのポイント調整機能を向上させる方法。
【請求項９】
前記ポイント・コーディネータは、該ポイント・コーディネータがポーリングしているときに、ＣＦＰ期間中に送信するデータ・フレームを有さない移動端末が次に追加されるテーブルを確立することを特徴とする請求項８に記載の無線ＬＡＮのポイント調整機能を向上させる方法。
【請求項１０】
前記ポイント・コーディネータは、前記テーブル内の前記局の数を所定の閾値未満に制限することを特徴とする請求項９に記載の無線ＬＡＮのポイント調整機能を向上させる方法。
【請求項１１】
前記テーブル内の前記移動端末の数が前記閾値に達するとき、前記ポイント・コーディネータは、前記ポイント・コーディネータの前記ポーリングに応答しない前記移動端末に制御信号を送信して、該移動端末が前記変数を変更することを禁じることを特徴とする請求項１０に記載の無線ＬＡＮのポイント調整機能を向上させる方法。
【請求項１２】
ＣＦＰ期間に、前記テーブル内の移動局が競合によってデータ・フレームの送信を達成した場合、前記移動局は、前記テーブルから削除されることを特徴とする請求項１１に記載の無線ＬＡＮのポイント調整機能を向上させる方法。
【請求項１３】
ＣＦＰの終りに、ＣＦＰ期間に競合によってデータ・フレームを送信した前記移動端末の変数は、分散（調整機能）フレーム間空間（ＤＩＦＳ）に対応する値に設定され、次いで、前記競合期間に前記共有媒体の制御のために競合することを特徴とする請求項１２に記載の無線ＬＡＮのポイント調整機能を向上させる方法。
【請求項１４】
前記移動端末のすべての変数が、ＤＩＦＳに対応する値に設定される場合に、前記テーブル内に依然としていくつかの移動端末が存在するならば、競合期間のその競合力を高めるために、その変数が他の移動端末のそれよりも小さく設定されることを特徴とする請求項１３に記載の無線ＬＡＮのポイント調整機能を向上させる方法。
【請求項１５】
前記ＣＦＰの終りに、前記ポイント・コーディネータは前記テーブルをクリアすることを特徴とする請求項１４に記載の無線ＬＡＮのポイント調整機能を向上させる方法。
【請求項１６】
前記無線ネットワーク・プロトコルは、ＩＥＥＥ８０２．１１プロトコルであることを特徴とする請求項１に記載の無線ＬＡＮのポイント調整機能を向上させる方法。
【請求項１７】
アクセス・ポイント（ＡＰ）および複数の移動端末を含み、拡張型ポイント調整機能（ＥＰＣＦ）を備えた無線ＬＡＮシステムであって、
前記移動端末は、
所定値設定調整装置であって、移動端末がアクセス・ポイント（ＡＰ）によってポーリングされかつ送信データをもたない場合、非競合期間において、カウンタを制御するために前記移動端末の変数を所定値に設定する所定値設定調整装置と、
カウンタであって、前記データ・フレームの送信準備が整ったときに前記移動端末が共有媒体の検出を開始し、並びに、前記共有媒体が空いているときにカウントを開始するカウンタと、
媒体の制御を取得するための装置であって、前記カウンタが所定の数までカウントし、また前記共有媒体が依然として空いている場合、前記媒体の制御を取得しかつデータ・フレームを送信し始める装置とを含む無線ＬＡＮシステム。
【請求項１８】
前記変数は、前記移動端末のネットワーク割当てベクトル（ＮＡＶ）であることを特徴とする請求項１７に記載の拡張型ポイント調整機能を備える無線ＬＡＮシステム。
【請求項１９】
前記移動端末は、前記ＣＦＰ中に媒体制御を取得し、かつデータ・フレームの送信を開始した後に、そのＮＡＶを最大値に調整することを特徴とする請求項１８に記載の拡張型ポイント調整機能を備える無線ＬＡＮシステム。
【請求項２０】
前記所定値が、ＳＰＩＦＳに対応する値であることを特徴とする請求項１７に記載の拡張型ポイント調整機能を備える無線ＬＡＮシステム。
【請求項２１】
ＳＰＩＦＳに対応する前記値が、ＳＩＦＳ＜ＳＰＩＦＳ＜ＰＩＦＳのように、短期フレーム間空間（ＳＩＦＳ）とＰＣＦフレーム間空間（ＰＩＦＳ）の間に規定されることを特徴とする請求項２０に記載の拡張型ポイント調整機能を備える無線ＬＡＮシステム。
【請求項２２】
ＳＰＩＦＳは、次の式によって得られ、
ＳＰＩＦＳ＝ＳＩＦＳ＋〔１スロット時間・Ｒａｎｄ（）〕
ここで、Ｒａｎｄ（）を間隔〔０，１〕にわたる一様分布から導き出された疑似乱数とする、ことを特徴とする請求項２１に記載の拡張型ポイント調整機能を備える無線ＬＡＮシステム。
【請求項２３】
前記非競合期間中に、一旦、前記所定値設定装置が前記変数を所定の値に設定すると、前記所定値設定装置は、目標ビーコン送信時間（ＴＢＴＴ）に別のビーコン・フレームを受信したとしても、該所定値設定装置のＮＡＶを変更しないことを特徴とする請求項１７に記載の拡張型ポイント調整機能を備える無線ＬＡＮシステム。
【請求項２４】
前記ポイント・コーディネータは、或る量の移動端末が前記共有媒体の制御のために競合し得ると決定することを特徴とする請求項１７に記載の拡張型ポイント調整機能を備える無線ＬＡＮシステム。
【請求項２５】
前記ポイント・コーディネータは、該ポイント・コーディネータがポーリングしているときに、ＣＦＰ期間中に送信するデータ・フレームを有さない移動端末が次に追加されるテーブルを確立することを特徴とする請求項２４に記載の拡張型ポイント調整機能を備える無線ＬＡＮシステム。
【請求項２６】
前記ポイント・コーディネータは、前記テーブル内の前記携帯端末の数を所定の閾値未満に制限することを特徴とする請求項２５に記載の拡張型ポイント調整機能を備える無線ＬＡＮシステム。
【請求項２７】
前記アクセス・ポイントは制御信号送信装置を含み、
前記テーブル内の前記局の数が前記閾値に達するときに、前記ポイント・コーディネータは、前記ポイント・コーディネータの前記ポーリングに応答しない他の移動端末に制御信号を送信して、該他の移動端末が前記変数を変更することを禁じることを特徴とする請求項２６に記載の拡張型ポイント調整機能を備える無線ＬＡＮシステム。
【請求項２８】
ＣＦＰの終りに、ＣＦＰ期間に競合によってデータ・フレームを送信した前記移動端末の変数が、分散調整機能フレーム間空間（ＤＩＦＳ）に対応する値に設定されることを特徴とする請求項２７に記載の拡張型ポイント調整機能を備える無線ＬＡＮシステム。
【請求項２９】
前記移動端末のすべての変数が、ＤＩＦＳに対応する値に設定される場合に、前記テーブル内に依然として移動端末が存在するならば、競合期間中のその競合力を高めるために、その変数が他の移動端末のそれよりも小さく設定されることを特徴とする請求項２８に記載の拡張型ポイント調整機能を備える無線ＬＡＮシステム。
【請求項３０】
前記ＣＦＰの終りに、前記ポイント・コーディネータは、前記テーブルをクリアすることを特徴とする請求項２９に記載の拡張型ポイント調整機能を備える無線ＬＡＮシステム。
【請求項３１】
前記無線ネットワーク・プロトコルは、ＩＥＥＥ８０２．１１プロトコルであることを特徴とする請求項１７に記載の拡張型ポイント調整機能を備える無線ＬＡＮシステム。
【発明の詳細な説明】
【技術分野】
【０００１】
本発明は、無線ＬＡＮの分野、特に、無線ＬＡＮにおけるポイント調整機能を向上させるためのシステムおよび方法に関する。
【背景技術】
【０００２】
ＩＥＥＥ８０２．１１無線ＬＡＮ規格は、現在広く受け入れられており、すべての分野に適用されている。ＩＥＥＥ８０２．１１規格の伝送媒体アクセス制御（ＭＡＣ：Media Access control）の枠組みには、調整機能の２つの方法、すなわち分散調整機能（ＤＣＦ：Distributed Coordination Function）およびポイント調整機能（ＰＣＦ：Point Coordination Function）がある。ＩＥＥＥ８０２．１１規格の無線ＬＡＮには、その２つの方法が共存する。ポイント調整機能は、非競合型のフレーム転送を提供することができるので、オーディオおよびビデオなどのリアルタイム・トラフィックをサポートするために使用され得る。このアクセス方法では、どの移動端末が送信する資格があるかを決定するために、基本サービス・セット（ＢＳＳ：Basic Service Set）内の基地局の役割を果たすポイント・コーディネータ（ＰＣ：Point Coordinator）が使用される。ポイント・コーディネータは非競合期間（ＣＦＰ：Contention Free Period）の最初に媒体の制御を取得し、このポイント・コーディネータの、２つの送信間の待機時間間隔（ＰＣ自体によって設定される）は、分散調整機能でのあらゆる移動端末のそれより短い。したがって、ポイント・コーディネータは、非競合期間（ＣＦＰ）を通じて媒体制御を保持することができる。基本サービス・セット（ＢＳＳ）では、ポイント・コーディネータ以外のすべての移動端末は、ＣＦＰの最初に、ネットワーク割当てベクトル（ＮＡＶ：Network Allocation Vector）をＣＦＰ最大継続時間に設定する。これによって、移動端末が媒体アクセスを求めて競合することを最もうまく回避し、ポイント・コーディネータだけが媒体制御を取得するようにする。非競合期間の典型的なフレーム伝送が、図１に示されている。図１から、ポイント・コーディネータが各非競合期間の最初に伝送媒体の検出を開始することがわかる。伝送媒体の空きＰＣＦフレーム間空間（ＰＩＦＳ：ＰＣＦ Inter‐Frame Space）が検出されると、ポイント・コーディネータは、媒体の制御を得て、非競合（ＣＦ）パラメータ設定および送出トラフィック指示メッセージ（ＤＴＩＭ：Delivery Traffic Indication Message）を含むビーコン・フレームを送信する。最初のビーコン・フレームを送信した後に、ポイント・コーディネータは、少なくとも短期フレーム間空間（ＳＩＦＳ：Short Inter‐Frame Space）の間待機し、次いで、ポーリング・リストに従って各移動端末にポーリングし始める。ある移動端末がポーリングされる場合、それは、ＳＩＦＳの後にデータ・フレームを送信する。その移動端末は、送信するデータがない場合、Ｎｕｌｌを返送する。別のケースでは、それが送信データを有さず、またＣＦポーリング・フレームに肯定応答する必要がある場合、その端末は、ポイント・コーディネータに、ＣＦ−ＡＣＫフレームデータ無しを返信する。したがって、移動端末は、そのポーリング期間後に送信データを有する場合、次の非競合期間または競合期間（ＣＦ：contention period）に媒体の制御を取得するまで待機しなければならない。したがって、リアルタイム・トラフィックの伝送遅延は長くなる。
【発明の開示】
【発明が解決しようとする課題】
【０００３】
本発明は、無線ＬＡＮ上のポイント調整機能を向上させるための方法を提供する。
【課題を解決するための手段】
【０００４】
非競合期間に、移動端末がそのポーリング期間後に送信データを有し、またポーリングされるが、ポイント・コーディネータに応答しない少なくとも別の携帯端末が同じ期間内に存在する場合には、この移動端末は、その変数を調整することによって、次のＣＦＰまたはＣＰではなく該ＣＦＰの間に、媒体制御を取得し、データ・フレームの送信を開始する別の機会得ることができる。このようにして、伝送遅延が低減され得る。
【０００５】
本発明の別の目的は、無線ＬＡＮにおけるポイント調整機能を向上させるためのシステムを提供して、本発明による方法によってシステムの伝送遅延を低減させることである。
【０００６】
本発明の実現：
非競合期間（ＣＦＰ）および競合期間（ＣＰ）を含む無線ＬＡＮプロトコルの下で使用される、無線ＬＡＮにおけるポイント調整機能を向上させるための方法。それは、以下のステップを含む。
ａ．非競合期間に、移動端末は、アクセス・ポイント（ＡＰ：access point）のポイント・コーディネータによってポーリングされ、かつ送信データをもたない場合、その変数を所定の値に調整する。
ｂ．データ・フレームの送信の準備が整ったときに、移動端末は、共有媒体の検出を開始する。媒体が空いている場合、この変数は、カウントを開始する。
ｃ．変数がその値までカウントされ、またその媒体が依然として空いている場合、前記移動端末は、媒体制御を取得し、データ・フレームの送信を開始する。
【０００７】
本発明の利点は、ＣＦＰの間、移動端末の変数を所定の値に調整することによって、端末がデータの準備を整え次第、媒体のアクセスを求めて競合できることである。ＣＦＰの間、媒体が十分にアイドル状態であると検出された場合、移動端末は、媒体の制御を取得し、準備が整ったデータを送信し始める。したがって、データを送信するのに次のＣＦＰまで待機する必要はなく、伝送遅延が低減される。
【発明を実施するための最良の形態】
【０００８】
例示するため、添付の図面を参照して、本発明について以下により詳細に説明する。
【０００９】
図２に示すように、ＣＦＰの最初に、ポイント・コーディネータは、ＰＩＦＳ期間の最後に媒体の制御を取得し、次いでビーコン・フレームを送信する。最初のビーコン・フレーム送信後に、ポイント・コーディネータは、ＳＩＦＳの間待機し、次いで、ポーリング・リスト内の最初の移動端末であるＳＴＡ１にポーリングし始める。ＳＴＡ１は、送信するデータ・フレームがない場合、ＰＣからのポーリングに応答せず、またそのＮＡＶを、ＳＰＩＦＳと定義された値に設定する。ＮＡＶ値は、この移動端末上のデータが準備されるまで停止される。
【００１０】
ＳＴＡ１から応答が得られなかったので、ポイント・コーディネータは、ポーリング・リスト内の次の移動端末ＳＴＡ２をポーリングする。ＳＴＡ２がポーリングされているときにＳＴＡ１上のデータ・フレームの送信準備が整った場合、ＳＴＡ１は、媒体の検出を開始する。したがって、ＰＣがポーリングを完了し、伝送媒体がアイドル状態に入るときに、ＳＴＡ１は、数を逆に数え始める。共有媒体のアイドル状態時間はＳＩＦＳであり、ＳＴＡ１のＮＶＡ値は、ＳＰＩＦＳである。上述したように、ＰＩＦＳはＳＩＦＳより長く、したがって、ＳＴＡ２は、媒体の制御を取得し、ＰＣにデータを送信する。ＳＴＡ１は、ＳＩＦＳ期間の後に共有媒体が再びビジー状態になることが分かると、そのＮＡＶをＳＰＩＦＳに再設定し、媒体を検出し続ける。これは、ＰＣによってポーリングされるときに別の端末が送信データを有している場合は、ＳＴＡ１が媒体制御を取得する機会を有しないことを示している。
【００１１】
その後、ポイント・コーディネータは、ＳＴＡ３のポーリングを続ける。ＳＴＡ３が送信データを有しない場合、換言すると、それがＰＣのポーリングに応答しない場合、媒体は、ＰＩＦＳ期間の間、アイドル状態である。ＳＰＩＦＳはＰＩＦＳより短いので、ＳＴＡ１は、ＳＰＩＦＳの後に媒体制御を取得し、次いでＰＣにデータ・フレームを送信し始める。したがって、ＳＴＡ３などの他の移動端末がポーリングされたときにＰＣに応答しない場合、このＣＦＰ中に、ＳＴＡ１は、媒体制御を取得する機会を有し、データを送信することができる。このＣＦＰの終わりに、移動端末は、そのＮＡＶを、分散調整機能フレーム間空間（ＤＩＦＳ：Distributed coordination function Inter‐Frame Space）に対応する値に設定し、次いで媒体の制御を求めて競合する。
【００１２】
少なくとも１つの移動端末が同時に媒体の制御を取得し得る問題の観点において、本発明のポイント・コーディネータは、以下の方法でテーブルを確立する。ポイント・コーディネータは、送信するフレームを有しておらず、またそこからのポーリングに応答しない移動端末にポーリングする場合、こうした移動端末を次にテーブルに追加する。テーブル内のすべての移動端末は、媒体制御を取得し得るので、同時に制御を取得する場合、競合が発生する。競合の確率は、テーブル内の移動端末の数が増加するにつれて高まる。したがって、ポイント・コーディネータは、テーブル内の移動端末の数を所定の閾値未満に制限する。競合の確率を最大限減少させるために、閾値は一般に、小さい数に設定される。テーブル内の移動端末の数が閾値に達するときに、ポイント・コーディネータは、そのポーリングに応答しない他の移動端末に特別な制御フレーム（Ｔｈｒｅｓｈｏｌｄｏｕｔ）を送信して、それがそのＮＡＶを変更することを禁じる。それによって、その移動端末は、ＣＦＰの間、媒体制御のために競合しない。テーブル内の端末間で競合が発生する場合、移動端末は、次のＣＦＰの間にデータを再送する必要がある。競合がポイント・コーディネータと、テーブル内の移動端末との間で発生する場合、移動端末は、このＣＦＰの間にデータを再送する必要はなく、ＰＣは、共有媒体を検出し始める。媒体のアイドル時間がＰＩＦＳである場合、ポイント・コーディネータは、媒体制御を再び取得し、次の移動端末のポーリングを開始する。ＣＦＰの最後に、ポイント・コーディネータは、テーブルをクリアする。
【００１３】
図３に示すように、ある無線ＬＡＮでは、テーブルの閾値は、３に設定されている。最初に、このテーブルは空である。移動端末Ｍｔａは、ＰＣからのポーリングに応答せず、テーブルに追加される。ＰＣからのポーリングに応答しないさらに２つの移動端末ＭｔｂおよびＭｔｃがある場合、テーブル内の現在の移動端末数は閾値未満であるので、その両方がやはりテーブルに追加され得る。テーブル内のすべての移動端末のＮＡＶは、媒体制御のために等しく競合し得る。しかし、ＰＣからのポーリングに応答しないもう１つの移動端末が存在する場合、その端末は、テーブルに追加され得ず、端末にそのＮＡＶの変更を禁ずる特別な制御フレームを受信する。したがって、その端末は、ＣＦＰの間、競合しない。このようにして、競合する移動端末の数が制限され、競合の確率が減少される。テーブルでは、競合によってデータ・フレームを送信した端末Ｍｔｂがテーブルから削除され、したがって、テーブル内の移動端末の数は、閾値より小さくなる。応答しないＭｔｅなどの別の端末が存在する場合、それは、テーブルに追加されることができる。ＣＦの間は、テーブルは無用であり、最後のＣＦＰが終了するときにクリアされる。ＣＦＰの終了時にテーブル内に依然として移動端末が存在する場合には、競合期間中のその競合力を高め、伝送遅延を減少させるために、そのＮＡＶは、他の移動端末のそれよりも小さく設定される。
【００１４】
図４は、アクセス・ポイント（ＡＰ）４０、および複数の移動端末（ＳＴＡ）を含む、本発明に従った無線ＬＡＮのポイント調整機能を向上させるためのシステムを示すブロック図である。図５に示すように、移動端末（ＳＴＡ）は、
所定値設定調整装置５０１であって、移動端末がアクセス・ポイント（ＡＰ）のポイント・コーディネータによってポーリングされかつ送信データを有さない場合、非競合期間において、移動端末のＮＡＶをＳＰＩＦＳに設定する所定値設定調整装置５０１と、
カウンタ５０３であって、データ・フレームの送信準備が整ったときに、移動端末が共有媒体の検出を開始し、並びに、媒体が理想的であるときに、ＳＰＩＦＳに対応する値からカウント・ダウンし始めるカウンタ５０３と、
媒体の制御を取得するための装置５０４であって、カウンタが所定の数、たとえば０までカウントし、また装置５０２によって検出される共有媒体が依然として空いている場合、媒体の制御を取得し、かつデータ・フレームを送信し始める装置５０４とを含む。
【００１５】
移動端末（ＳＴＡ）は、媒体制御を取得し、ＣＦＰの間にデータを送信した後に、そのＮＡＶを最大ＣＦＰ値にリセットする。
【００１６】
ＳＰＩＦＳに対応する値は、ＳＩＦＳ＜ＳＰＩＦＳ＜ＰＩＦＳのように短期フレーム間空間（ＳＩＦＳ）とＰＣＦフレーム間空間（ＰＩＦＳ）との間に規定される。ＳＰＩＦＳは、以下の数式によって得られる。
【００１７】
ＳＰＩＦＳ＝ＳＩＦＳ＋〔１スロット時間・Ｒａｎｄ（）〕
ただし、Ｒａｎｄ（）は、間隔〔０，１〕における一様分布から導き出された疑似乱数である。非競合期間中、所定値設定装置５０１は、一旦、変数を所定の値に調整すると、目標ビーコン送信時間（ＴＢＴＴ：target beacon transmission time）に別のビーコン・フレームを受信したとしても、そのＮＡＶを変更しない。
【００１８】
図６に示すように、所定値設定調整装置６０２、チャネル状態を検出するための装置６０３、カウンタ６０４、および媒体の制御を取得するための装置６０５のほかに、アクセス・ポイント（ＡＰ）は、ポイント・コーディネータ６０１、ポーリング無データ局のテーブル６０６、およびフレームＴｈｒｅｓｈｏｌｄｏｕｔを送信するための装置６０７をも含む。
【００１９】
ポイント・コーディネータ６０１は、ある量の移動端末が媒体の制御のために競合し得ると決定し、それは、次のように完了される。ポイント・コーディネータ６０１は、それがポーリングしているときにＣＦＰの間に送信するデータ・フレームを有さない移動端末が次に追加されるテーブル６０６を確立し、並びに、それは、テーブル内の移動端末の数を、たとえば３などの所定の閾値未満に制限する。
【００２０】
テーブル内の移動端末の数が閾値に達するときに、ポイント・コーディネータ６０１は、フレームＴｈｒｅｓｈｏｌｄｏｕｔを送信するための装置６０７に、ポーリングに応答しない他の移動端末に制御信号を送信させて、それらがそのＮＡＶを変更するのを禁じる。
【００２１】
ＣＦＰの最後に、ＣＦＰ期間中に競合によってデータ・フレームを送信する移動端末のＮＡＶは、分散調整機能フレーム間空間（ＤＩＦＳ）に対応する値に設定される。すべての移動端末のＮＡＶが、ＤＩＦＳに対応するこの値に設定される場合、テーブル内に依然として移動端末が存在するならば、競合期間中のその競合力を増大させるために、そのＮＡＶは、他の移動端末のそれよりも小さく設定される。最後に、ポイント・コーディネータ６０１は、テーブルをクリアする。
【図面の簡単な説明】
【００２２】
【図１】ＣＦＰ中の通常のフレーム転送を示す説明図である。
【図２】本発明による、ＣＦＰ中のフレーム転送を示す説明図である。
【図３】本発明による、移動端末をリストに追加するプロセスを示すフローチャートである。
【図４】本発明による、無線ＬＡＮにおけるポイント調整機能を向上させるためのシステムを示すブロック図である。
【図５】本発明による、移動端末の構造を示すブロック図である。
【図６】本発明による、アクセス・ポイントの構造を示すブロック図である。
【図１】
2006512822.tif 000003
【図２】
2006512822.tif 000004
【図３】
2006512822.tif 000005
【図４】
2006512822.tif 000006
【図５】
2006512822.tif 000007
【図６】
2006512822.tif 000008
【国際調査報告】
2006512822.tif 000009
2006512822.tif 000010
2006512822.tif 000011